(57)【要約】【課題】給排気口の数を外壁部分から減少排除できて建物の外観を良好にでき、空気を通すダクトや空気管の使用合計長さを短縮でき、熱交換換気が可能で熱交換換気のための設置スペースの確保も容易な室内換気システムを提供する。【解決手段】建物１の内部を仕切る壁６が中空部７を備えた壁からなり、該壁６の中空部７が屋根８の側から外に連絡し、該壁６に、換気用給気口９と、屋内側からの空気を排出する排気口１０が設けられ、該壁６の中空部７を排気通路部１３とし、中空部６に設置した空気管１１内を換気用給気通路部１２とし、空気管１１は熱交換可能で、管壁を介して換気用給気通路部１２を通る外気と排気通路部１３を通る屋内側からの空気とが熱交換を行うようになされている。建物１は集合住宅用建物で、壁７は戸間の界壁であるとよい。【選択図】      図１
2006284066.tif 000002
【特許請求の範囲】
【請求項１】
建物の内部を仕切る壁が中空部を備えた壁からなり、該壁の中空部が屋根側から外に連絡しており、
該壁に、換気用給気口と、屋内側からの空気を排出する排気口とが設けられ、該壁の中空部を、屋根側からの外気を給気口に向けて送る換気用給気通路部と、屋内側からの空気を排気口から屋根側に送る排気通路部のうちのいずれか一方とし、該中空部に、もう一方の通路部が前記一方の通路部と通路仕切りで区画されて備えられ、該通路仕切りが熱交換仕切りからなり、該熱交換仕切りを介して換気用給気通路部を通る外気と排気通路部を通る屋内側からの空気とが熱交換を行うようになされていることを特徴とする室内換気システム。
【請求項２】
前記壁が集合住宅の戸間の界壁であり、該界壁に各戸の前記換気用給気口と前記排気口とが設けられている請求項１に記載の室内換気システム。
【請求項３】
前記壁の中空部と最下の床下空間部とを連絡する床下空気通路部が設けられ、床下の空気が前記壁の排気通路部を通じて屋根側から外に排出されるようになされている請求項１又は２のいずれか一に記載の室内換気システム。
【発明の詳細な説明】
【技術分野】
【０００１】
本発明は、室内換気システムに関する。
【背景技術】
【０００２】
従来より種々の室内換気システムが提供されているが、従来の室内換気システムでは、給排気口のいずれか一方又は両方が、外から視認可能な建物の外壁部分に備えられており、建物の外観を悪くする場合がある。特に、アパートなどの集合住宅では、外壁部分に給排気口が乱設される場合がある。そのため、屋根側の軒天に給気口や排気口を設けることもあるが、それでは、空気を通すダクトや空気管の使用合計長さが長くなってしまうという問題がある。
【０００３】
また、室内に給気する外気と屋内から排気する空気とを熱交換させることによって、換気による室内空気の温度変化を小さくする熱交換換気装置も提供されているが、その設置スペースの確保が容易でない場合がある。
【発明の開示】
【発明が解決しようとする課題】
【０００４】
本発明は、上記のような問題点に鑑み、給排気口の数を外壁部分から減らす、ないしは、なくすことができて建物の外観を良好なものにすることができ、しかも、空気を通すダクトや空気管の使用合計長さを短縮することができ、加えて、熱交換換気が可能で、該熱交換換気のための設置スペースの確保も容易な室内換気システムを提供することを課題とする。
【課題を解決するための手段】
【０００５】
上記の課題は、建物の内部を仕切る壁が中空部を備えた壁からなり、該壁の中空部が屋根側から外に連絡しており、
該壁に、換気用給気口と、屋内側からの空気を排出する排気口とが設けられ、該壁の中空部を、屋根側からの外気を給気口に向けて送る換気用給気通路部と、屋内側からの空気を排気口から屋根側に送る排気通路部のうちのいずれか一方とし、該中空部に、もう一方の通路部が前記一方の通路部と通路仕切りで区画されて備えられ、該通路仕切りが熱交換仕切りからなり、該熱交換仕切りを介して換気用給気通路部を通る外気と排気通路部を通る屋内側からの空気とが熱交換を行うようになされていることを特徴とする室内換気システムによって解決される。
【０００６】
この室内換気システムでは、換気用給気口が建物の内部を仕切る壁に設けられ、該壁は中空部を備えた壁からなって壁の中空部が屋根側から外に連絡し、換気用給気通路部が壁の中空部に備えられているので、該換気用給気口が建物の外壁から省略され、給排気口の数を外壁部分から減らす、ないしは、なくすことができて、建物の外観を良好なものにすることができる。
【０００７】
しかも、該壁の中空部を、屋根側からの外気を給気口に向けて送る換気用給気通路部と、屋内側からの空気を排気口から屋根側に送る排気通路部のうちのいずれか一方としているので、該一方の通路部のためのダクトや空気管をなくすことができて、空気を通すダクトや空気管の使用合計長さを短縮することができる。
【０００８】
加えて、両通路部が通路仕切りによって仕切られて壁の中空部に備えられ、該通路仕切りは熱交換仕切りからなり、該熱交換仕切りを介して換気用給気通路部を通る外気と排気通路部を通る屋内側の空気とが熱交換を行うようになされているので、熱交換換気が可能で、熱交換換気のための設置スペースの確保も前記壁を利用することで容易にすることができる。
【０００９】
上記の室内換気システムにおいて、前記壁が集合住宅の戸間の界壁であり、該界壁に各戸の前記換気用給気口と前記排気口とが設けられている場合は、給排気口の数を建物外壁部分から減らす、ないしは、なくすことができて、集合住宅用建物の外観をすっきりとした体裁の良いものにすることができる。
【００１０】
また、前記壁の中空部と最下の床下空間部とを連絡する床下空気通路部が設けられ、床下の空気が前記壁の排気通路部を通じて屋根側から外に排出されるようになされているのもよい。
【００１１】
この場合は、床下換気を促進することができるのみならず、冬季に地中熱などによって床下が暖かくなるような場合には、その熱を熱交換換気に利用することができるし、夏季には、床下の涼しい空気を熱交換換気に利用することができる。
【発明の効果】
【００１２】
本発明は、以上のとおりのものであるから、給排気口の数を外壁部分から減らす、ないしは、なくすことができて建物の外観を良好なものにすることができ、しかも、空気を通すダクトや空気管の使用合計長さを短縮することができ、加えて、熱交換換気が可能で、該熱交換換気のための設置スペースの確保も容易である。
【発明を実施するための最良の形態】
【００１３】
次に、本発明の実施最良形態を図面に基づいて説明する。
【００１４】
図１〜図３に示す実施形態の室内換気システムは、図３に示すようなアパートなどの集合住宅用の二階建て建物１に適用した場合のもので、該建物１は、図１及び図２に示すように、下階の隣り合う戸３，５と、上階の隣り合う戸２，４とがそれぞれ界壁６によって仕切られ、界壁６は、中空部７を備えた壁からなって、該中空部７が屋根８側から外に連絡している。なお、界壁６は、上階の界壁と下階の界壁とを連続させたものであってもよいし、それらの界壁を中空部同士が連通するように設けたものであってもよい。
【００１５】
そして、各戸２〜５において、上記界壁６には、図１に示すように、換気用給気口９と同じく換気用の排気口１０とが設けられ、界壁６の中空部７内には、通路仕切りとしての空気管１１が設置され、該空気管１１が換気用給気口９に接続され、空気管１１内を、屋根８側からの外気を給気口９に向けて送る換気用給気通路部１２にしている。また、換気用排気口１０は、界壁６の中空部７内に連通され、該中空部７内の空間を、室内空気を排気口１０から屋根８側に送る排気通路部１３にしている。そして、上記の空気管１１は熱交換管で構成され、該空気管１１を介して換気用給気通路部１２を通る外気と排気通路部１３を通る屋内側からの空気とが熱交換を行うようになされている。
【００１６】
また、本実施形態では、屋内や屋外に設置された暖房や給湯用の燃焼機器１４からの排気管１５が界壁６の中空部７の排気通路部１３に連通されると共に、建物一階の床下空間部１６が床下空気通路部１７を通じて排気通路部１３に連通され、排気通路部１３を通じて屋根８側から外に排出されるようになされている。
【００１７】
上記の室内換気システムでは、換気用給気口９が界壁６に設けられ、該界壁６は中空部７を備えた壁からなって、該中空部７が屋根８側から外に連絡し、換気用給気通路部１２が界壁６の中空部７に備えられているので、該換気用給気口９が建物１の外壁から省略され、また、換気用排気口１０も界壁６に設けられ、換気用排気通路部１３も同様に界壁６の中空部７に備えられているので、換気用の給排気口の数を建物１の外壁部分から減らす、ないしは、なくすことができて、集合住宅用建物１の外観をすっきりとした体裁の良いものにすることができる。
【００１８】
しかも、界壁６の中空部７を、室内１８の空気を排気口１０から屋根８側に送る排気通路部１３にしているので、該排気通路部１３のための空気管をなくすことができ、空気管の使用合計長さを短縮することができる。
【００１９】
加えて、両通路部１２，１３が熱交換空気管１１の管壁を介して仕切られていて、ファンを駆動して換気を行っている間、換気用給気通路部１２を通る外気と、排気通路部１３を通る室内の空気とが熱交換を行うので、熱交換換気が可能であり、熱交換換気のための設置スペースの確保も界壁６を利用することで容易にすることができる。
【００２０】
また、上記の実施形態では、燃焼機器１４からの排気管１５が界壁６の中空部７の排気通路部１３に連通されているので、例えば、冬季に、外気温が低いような場合に、界壁６の中空部７内において、換気用給気通路部１２を通る外気と、燃焼機器１４からの暖かい排気ガスとが熱交換を行い、換気による室内温度の低下を小さく抑えることができる。なお、夏季や中間期は熱交換を行わないような構成を採用することはいうまでもない。
【００２１】
また、建物一階の床下空間部１６が床下空気通路部１７を通じて排気通路部１３に連通され、床下の空気が排気通路部１３を通じて屋根８側から外に排出されるようになされているので、冬季に地中熱などによって床下が暖かくなるような場合、あるいは、太陽熱集熱器などによって床下の土間コンクリート等に太陽熱が蓄熱されるようになされているような場合などにおいて、界壁６の中空部７内において、換気用給気通路部１２を通る外気と、暖かい床下空気とが熱交換を行い、換気による室内温度の低下を小さく抑えることができる。また、夏季には、床下の涼しい空気を熱交換換気に利用して、換気による室内温度の上昇を小さく抑えることができる。
【００２２】
以上に、本発明の実施形態を示したが、本発明はこれに限られるものではなく、発明思想を逸脱しない範囲で各種の変更が可能である。例えば、上記の実施形態では、換気用給気口９と換気用排気口１０の両方を界壁６に設けた場合を示しているが、換気用排気口１０を建物の外壁に設け、換気用給気口９と、燃焼機器１４の排気管を界壁６の中空部７に通し、給気用の外気と排気ガスとを熱交換させるようにしてもよい。即ち、「屋内側からの空気」とは、室内の空気に限らず、界壁６の中空部７を通じて排気される種々の空気を含む概念であり、従って、上記のような燃焼機器１４の排気ガスを含む概念であり、従ってまた、燃焼機器１４それ自体は上述したように屋内に備えられていても屋外に備えられていてもよい。
【００２３】
また、上記の実施形態では、界壁６の中空部７内に設置した空気管１１内を給気通路部１２とし、中空部７内を排気通路部１３とした場合を示しているが、空気管１１内を排気通路部１３とし、中空部７内を給気通路部１２としてもよいし、空気管１１に限らず、排気通路部１３と給気通路部１２とを熱交換可能に仕切り各種熱交換仕切りが採用されてもよい。
【００２４】
また、上記の実施形態では、集合住宅用建物の界壁に適用した場合を示したが、これに限らず、住宅用戸建て建物や、事務所用建物等の各種建物において建物の内部を仕切る壁に適用することも可能である。また、建物の階数に制限はなく、１階建てであってもよいし、３階建て以上であってもよい。更に、「屋根側」の語は、図示するようなまさに屋根であってもよいし、屋根側に備えられた軒天などであってもよい。
【図面の簡単な説明】
【００２５】
【図１】実施形態の室内換気システムを示す建物の断面正面図である。
【図２】図（イ）は建物の概略断面平面図、図（ロ）は図（イ）のＩ−Ｉ線断面矢視図である。
【図３】建物の全体斜視図である。
【符号の説明】
【００２６】
１…集合住宅用建物（建物）
６…界壁（仕切り壁）
７…中空部
８…屋根
９…換気用給気口
１０…排気口
１１…空気管（熱交換仕切り）
１２…換気用給気通路部
１３…排気通路部
１６…床下空間部
１７…床下空気通路部
【図１】
2006284066.tif 000003
【図２】
2006284066.tif 000004
【図３】
2006284066.tif 000005